【手続補正書】
【提出日】平成18年11月13日(2006.11.13)
【手続補正１】
【補正対象書類名】明細書
【補正対象項目名】特許請求の範囲
【補正方法】変更
【補正の内容】
【特許請求の範囲】
【請求項１】  最も像側に配置された非球面を含み常時固定のレンズ群と、前記最も像側に配置されたレンズ群の直前に配置されたフォーカシングのために可動のフォーカシング群とを含む撮影光学系。
【請求項２】  最も像側のレンズ群よりも物体側に少なくとも光路を折り曲げるための反射部材を有し、前記最も像側のレンズ群が非球面を含み常時固定であり、前記最も像側のレンズ群の直前のレンズ群がフォーカシング群である撮影光学系。
【請求項３】  前記最も像側のレンズ群が物体側に凸面を有する１枚のメニスカスレンズよりなる請求項１の撮影光学系。
【請求項４】  前記フォーカシング群が物体側より順に負レンズと正レンズの２枚のレンズにて構成されている請求項１の撮影光学系。
【請求項５】  物体側より順に、全体として負のパワーの前群と光路を折り曲げる反射部材と明るさ絞りと後群とよりなり、前群が１枚または２枚の負レンズよりなり、後群が物体側より順に、像側の面よりも物体側の面の方が強い曲率を有する負レンズと、物体側の面よりも像側の面の方が強い曲率を持つ正レンズとの２枚のレンズかあるいは物体側の面よりも像側の面の方が強い曲率を有する正レンズ１枚からなる固定レンズ群と、物体側の面よりも像側の面の方が強い曲率を有する負レンズと両凸レンズの２枚の単レンズからなるかあるいは前記負レンズと前記両凸レンズとを接合させた接合レンズからなるフォーカシング群と、非球面を含み物体側に凸面を向けたメニスカスレンズでフォーカシング時固定である最終群とからなる撮影光学系。
【請求項６】  前記フォーカシング群が少なくとも１枚の負レンズと少なくとも１枚の正レンズとを含むことを特徴とする請求項２または３の撮影光学系。
【請求項７】  前記フォーカシング群の直前に固定のレンズ群を配置したことを特徴とする請求項１、２、３または４の撮影光学系。
【請求項８】  下記条件（１）を満足することを特徴とする請求項５、６又は７の撮影光学系。
（１）    ０．２＜ＤＦ／ｆ＜１．２
ただし、ＤＦは無限遠物点合焦時のフォーカシング群とその直前の固定群との光軸上の間隔、ｆは無限遠物点合焦時の全系の焦点距離である。
【請求項９】  条件（１）の代わりに条件（１−１）を満足することを特徴とする請求項８の撮影光学系。
（１−１）    ０．３＜ＤＦ／ｆ＜１．１
【請求項１０】  条件（１）の代わりに条件（１−２）を満足することを特徴とする請求項８の撮影光学系。
（１−２）    ０．４＜ＤＦ／ｆ＜１．０
【請求項１１】  下記条件（２）を満足することを特徴とする請求項１、２、３、４、５、６、７、８、９又は１０の撮影光学系。
（２）    −１＜ｆ／ｆＲ＜０．２５
ただし、ｆＲは最も像側のレンズ群の焦点距離、ｆは無限遠物点合焦時の全系の焦点距離である。
【請求項１２】  条件（２）の代わりに条件（２−１）を満足することを特徴とする請求項１１の撮影光学系。
（２−１）    −０．７＜ｆ／ｆＲ＜０．１
【請求項１３】  条件（２）の代わりに条件（２−２）を満足することを特徴とする請求項１１の撮影光学系。
（２−２）    −０．５＜ｆ／ｆＲ＜０．０
【請求項１４】  、下記条件（３）を満足することを特徴とする請求項１、２、３、４、５、６、７、８、９、１０、１１、１２または１３の撮影光学系。      （３）    ０．２＜ｆ／ｆ（ＦＯ）＜０．７
ただし、ｆは無限遠物点合焦時の全系の焦点距離、ｆ（ＦＯ）はフォーカシング群の焦点距離である。
【請求項１５】  条件（３）の代わりに条件（３−１）を満足することを特徴とする請求項１４の撮影光学系。
（３−１）    ０．２５＜ｆ／ｆ（ＦＯ）＜０．６
【請求項１６】  条件（３）の代わりに条件（３−２）を満足することを特徴とする請求項１４の撮影光学系。
（３−２）    ０．３＜ｆ／ｆ（ＦＯ）＜０．５
【請求項１７】  下記条件（４）を満足することを特徴とする請求項１、２、３、４、５、６、７、８、９、１０、１１、１２、１３、１４、１５または１６の撮影光学系。
（４）    ０．２＜ｆ／Ｒ（ＲＲ）＜１．８
ただし、ｆは無限遠物点合焦時の全系の焦点距離、Ｒ（ＲＲ）は最も像側のレンズ群の最も像側の面の光軸近傍の曲率半径である。
【請求項１８】  条件（４）の代わりに条件（４−１）を満足することを特徴とする請求項１７の撮影光学系。
（４−１）    ０．３＜ｆ／Ｒ（ＲＲ）＜１．６
【請求項１９】  条件（４）の代わりに条件（４−２）を満足することを特徴とする請求項１７の撮影光学系。
（４−２）    ０．４＜ｆ／Ｒ（ＲＲ）＜１．４
【請求項２０】  前記反射部材の物体側直前に配置された負の屈折力を有する前群と、前記反射部材の像側直後に配置された明るさ絞りとを有することを特徴とする請求項２、３、または４の撮影光学系。
【請求項２１】  下記条件（５）を満足することを特徴とする請求項５又は請求項２０撮影光学系。
（５）      １．０＜｜ｆＦ｜／ｆ＜３．８
ただし、ｆは無限遠物点合焦時の全系の焦点距離、ｆＦは前群の焦点距離である。
【請求項２２】  条件（５）の代わりに条件（５−１）を満足することを特徴とする請求項２１の撮影光学系。
（５−１）      １．２＜｜ｆＦ｜／ｆ＜３．６
【請求項２３】  条件（５）の代わりに条件（５−２）を満足することを特徴とする請求項２１の撮影光学系。
（５−２）      １．４＜｜ｆＦ｜／ｆ＜３．４
【請求項２４】  下記条件（６）を満足することを特徴とする請求項５、２０、２１、２２または２３の撮影光学系。
（６）      １．４＜ｄＭ／ｆ＜２．８
ただし、ｄＭは前群の最終面から明るさ絞りまでの光軸上の空気換算長、ｆは無限遠物点合焦時の全系の焦点距離である。
【請求項２５】  条件（６）の代わりに条件（６−１）を満足することを特徴とする請求項２４の撮影光学系。
（６−１）      １．６＜ｄＭ／ｆ＜２．６
【請求項２６】  条件（６）の代わりに条件（６−２）を満足することを特徴とする請求項２４の撮影光学系。
（６−２）      １．８＜ｄＭ／ｆ＜２．４
【請求項２７】  下記条件（７）を満足することを特徴とする請求項５、２０、２１、２２、２３、２４、２５または２６の撮影光学系。
（７）      ２＜Ｓｄ／ｆ＜５
ただし、ｆは無限遠物点合焦時の全系の焦点距離、Ｓｄは明るさ絞りから近軸像位置までの距離である。尚フィルタ部分は空気換算長とする。
【請求項２８】  条件（７）の代わりに条件（７−１）を満足することを特徴とする請求項２７の撮影光学系。
（７−１）      ２．５＜Ｓｄ／ｆ＜４．６
【請求項２９】  条件（７）の代わりに条件（７−２）を満足することを特徴とする請求項２７の撮影光学系。
（７−２）      ３．０＜Ｓｄ／ｆ＜４．２
【請求項３０】  下記条件（８）を満足することを特徴とする範囲の請求項５、２０、２１、２２、２３、２４、２５または２６の撮影光学系。
（８）      ０．４＜｜ψ（Ｆ）｜Max×｜ｆＦ｜＜１．４
ただし、ｆＦは前群の焦点距離、｜ψ（Ｆ）｜Maxは前群中の各レンズ面のパワーのうちの絶対値での最大値で、ψは下記式にて与えられる。
ψ＝（Ｎ’−Ｎ）／Ｒ
ここで、Ｎ’、Ｎは夫々上記レンズ面の射出側および入射側の屈折率、Ｒは上記レンズ面の光軸上の曲率半径である。
【請求項３１】  条件（８）の代わりに条件（８−１）を満足することを特徴とする請求項３０の撮影光学系。
（８−１）      ０．５＜｜ψ（Ｆ）｜Max×｜ｆＦ｜＜１．３
【請求項３２】  条件（８）の代わりに条件（８−２）を満足することを特徴とする請求項３０の撮影光学系。
（８−２）      ０．６＜｜ψ（Ｆ）｜Max×｜ｆＦ｜＜１．２
【請求項３３】  請求項１乃至３０のいずれか１項に記載する撮影光学系と、前記撮影光学系の像面近傍に配置された電子撮像素子とを含む撮像装置。
【請求項３４】  請求項３３に記載する装置で、電子撮像素子の入射面側に配置された補色モザイクフィルターの物体側に配置された波長６００ｎｍでの透過率が８０％以上で、波長７００ｎｍでの透過率が１０％以下の近赤外シャープカットフィルターとを備えたことを特徴とする撮像装置。
【請求項３５】  下記条件（９）を満足することを特徴とする請求項３３又は３４の撮影光学系。
（９）    ０．１５＜ｔ（ＬＰ）／ａ＜０．６（ｍｍ／μｍ）
ただし、ｔ（ＬＰ）は光学的ローパスフィルターの総厚、ａは電子撮像素子の水平画素ピッチで、単位はμｍである。
【請求項３６】  条件（９）の代わりに（９−１）を満足することを特徴とする請求項３５の撮影光学系。
（９−１）    ０．１３＜ｔ（ＬＰ）／ａ＜０．５